(57)【特許請求の範囲】
【請求項１】
左右一対のエンドレスチェーンに両端支持された多数のバケットで粉粒体状の搬送物を収容搬送し、前記エンドレスチェーンを排出口側スプロケットに周回させながら水平移動領域の上側水平搬送域から下側水平返送域へ折り返してバケットの収容底部をチェーン内周側で移送させるとともにバケットのバケット頂部をチェーン外周側で移送させてバケットの上下姿勢を反転し、反転するバケット内の搬送物をチェーン外周側へ落下搬出するバケットコンベヤにおいて、
前記エンドレスチェーンが、前記バケットを少なくとも一方で支持する左右一対の内リンクプレートと、該内リンクプレートのブシュ孔にブシュ端部を圧入嵌着するブシュと、前記左右一対の内リンクプレートの両外側にそれぞれ配置してバケットを少なくとも一方で支持する左右一対の外リンクプレートと、前記ブシュに回転自在に嵌挿して外リンクプレートのピン孔に少なくとも一端側のピン端部を圧入嵌着する連結ピンと、前記左右一対の内リンクプレートの間にそれぞれ配設するとともにブシュの外周に回動自在に遊嵌してスプロケットと噛み合う牽引用ローラと、前記左右一対の外リンクプレートのバケットと反対側で外リンクプレートから突出した連結ピンの外周に回動自在に遊嵌して水平移動領域のガイドレール上を走行する走行用ローラとを備え、
該走行用ローラが、前記左右一対のエンドレスチェーンの外側でチェーン長手方向に向かって左右互い違いに配設されていることを特徴とするバケットコンベヤ。
【請求項２】
前記牽引用ローラが、前記連結ピンと同じく金属で形成され、
前記走行用ローラが、前記連結ピンおよび牽引用ローラと異なり樹脂で形成されていることを特徴とする請求項１に記載のバケットコンベヤ。
【請求項３】
前記走行用ローラの径が、前記牽引用ローラの径の２倍以上の大きさで設けられていることを特徴とする請求項１または請求項２に記載のバケットコンベヤ。
【発明の詳細な説明】
【技術分野】
【０００１】
本発明は、左右一対のエンドレスチェーンに両端支持された多数のバケットで粉粒体状の搬送物を収容搬送してエンドレスチェーンを上側水平移動域から下側移動域へ折り返しながら周回させてバケットの上下姿勢を反転させる排出口側スプロケットの下方位置に設けた排出口から反転されたバケット内の搬送物を落下搬出するバケットコンベヤに関する。
【背景技術】
【０００２】
従来、左右一対のエンドレスチェーンに両端支持された多数のバケットで粉粒体状の搬送物を収容搬送するバケットコンベヤが知られている（例えば、特許文献１）。
このような従来のバケットコンベヤとして、例えば、図６（Ａ）および図６（Ｂ）に示すようなバケットコンベヤ５００がある。
ここで、図６（Ａ）は、従来技術のバケットコンベヤ５００のエンドレスチェーン５１０およびバケット５２０を示す平面図であり、図６（Ｂ）は、従来技術のバケットコンベヤ５００のエンドレスチェーン５１０およびバケット５２０を示す側面図である。
【０００３】
従来のバケットコンベヤ５００は、左右一対のエンドレスチェーン５１０、５１０と、その間に多数配設したバケット５２０、５２０…と、左右一対のエンドレスチェーン５１０、５１０とそれぞれ噛み合う駆動スプロケット５４０、５４０と、水平移動領域で水平移動方向に延設したガイドレール５３０、５３０とを備えていた。
【０００４】
このうち、一つのエンドレスチェーン５１０は、左右一対の内リンクプレート５１１、５１１と、左右一対の外リンクプレート５１２、５１２と、外リンクプレート５１２のピン孔にピン端部が圧入される連結ピン５１４と、内リンクプレート５１１のブシュ孔にブシュ端部が圧入されるブシュ５１３と、ブシュ５１３の外周に回転自在に配設される金属製の牽引・走行用ローラ５１５とによって構成されていた。
【０００５】
そして、この牽引・走行用ローラ５１５が、駆動スプロケット５４０と接触して駆動スプロケット５４０から動力を受ける、言い換えると、駆動スプロケット５４０に牽引されるとともに水平移動領域でガイドレール５３０上を走行するように設けられていた。
また、平面視で一つのバケット５２０を４つの牽引・走行用ローラ５１５、５１５…が囲む配置でバケット５２０が安定して移動するように構成されていた。
【先行技術文献】
【特許文献】
【０００６】
【特許文献１】特開２０１０−１５００４５号公報
【発明の概要】
【発明が解決しようとする課題】
【０００７】
しかしながら、上述した従来のバケットコンベヤ５００は、牽引・走行用ローラ５１５がブシュ５１３の外周にブシュ５１３の数と同数設けられて水平移動領域で多数の牽引・走行用ローラ５１５、５１５…がガイドレール５３０上を走行する構造であったため、水平移動領域における多数の箇所で騒音が生じる結果、騒音が大きいという問題があった。
【０００８】
そこで、本発明は、前述したような従来技術の問題を解決するものであって、すなわち、本発明の目的は、水平移動領域においてバケットを安定して支えるとともにガイドレール上を走行するローラにより騒音が生じる箇所を従来の構成と比べて減らすバケットコンベヤを提供することである。
【課題を解決するための手段】
【０００９】
本請求項１に係る発明は、左右一対のエンドレスチェーンに両端支持された多数のバケットで粉粒体状の搬送物を収容搬送し、前記エンドレスチェーンを排出口側スプロケットに周回させながら水平移動領域の上側水平搬送域から下側水平返送域へ折り返してバケットの収容底部をチェーン内周側で移送させるとともにバケットのバケット頂部をチェーン外周側で移送させてバケットの上下姿勢を反転し、反転するバケット内の搬送物をチェーン外周側へ落下搬出するバケットコンベヤにおいて、前記エンドレスチェーンが、前記バケットを少なくとも一方で支持する左右一対の内リンクプレートと、該内リンクプレートのブシュ孔にブシュ端部を圧入嵌着するブシュと、前記左右一対の内リンクプレートの両外側にそれぞれ配置してバケットを少なくとも一方で支持する左右一対の外リンクプレートと、前記ブシュに回転自在に嵌挿して外リンクプレートのピン孔に少なくとも一端側のピン端部を圧入嵌着する連結ピンと、前記左右一対の内リンクプレートの間にそれぞれ配設するとともにブシュの外周に回動自在に遊嵌してスプロケットと噛み合う牽引用ローラと、前記左右一対の外リンクプレートのバケットと反対側で外リンクプレートから突出した連結ピンの外周に回動自在に遊嵌して水平移動領域のガイドレール上を走行する走行用ローラとを備え、該走行用ローラが、前記左右一対のエンドレスチェーンの外側でチェーン長手方向に向かって左右互い違いに配設されていることにより、前述した課題を解決するものである。
【００１０】
本請求項２に係る発明は、請求項１に記載されたバケットコンベヤの構成に加えて、前記牽引用ローラが、前記連結ピンと同じく金属で形成され、前記走行用ローラが、前記連結ピンおよび牽引用ローラと異なり樹脂で形成されていることにより、前述した課題をさらに解決するものである。
【００１１】
本請求項３に係る発明は、請求項１または請求項２に記載されたバケットコンベヤの構成に加えて、前記走行用ローラの径が、前記牽引用ローラの径の２倍以上の大きさで設けられていることにより、前述した課題をさらに解決するものである。
【発明の効果】
【００１２】
本発明のバケットコンベヤは、左右一対のエンドレスチェーンに両端支持された多数のバケットで粉粒体状の搬送物を収容搬送し、エンドレスチェーンを排出口側スプロケットに周回させながら水平移動領域の上側水平搬送域から下側水平返送域へ折り返してバケットの収容底部をチェーン内周側で移送させるとともにバケットのバケット頂部をチェーン外周側で移送させてバケットの上下姿勢を反転することにより、反転するバケット内の搬送物をチェーン外周側へ落下搬出することができるばかりでなく、以下のような特有の効果を奏することができる。
【００１３】
本請求項１に係る発明のバケットコンベヤによれば、エンドレスチェーンが、バケットを少なくとも一方で支持する左右一対の内リンクプレートと、この内リンクプレートのブシュ孔にブシュ端部を圧入嵌着するブシュと、左右一対の内リンクプレートの両外側にそれぞれ配置してバケットを少なくとも一方で支持する左右一対の外リンクプレートと、ブシュに回転自在に嵌挿して外リンクプレートのピン孔に少なくとも一端側のピン端部を圧入嵌着する連結ピンと、左右一対の内リンクプレートの間にそれぞれ配設するとともにブシュの外周に回動自在に遊嵌してスプロケットと噛み合う牽引用ローラと、左右一対の外リンクプレートのバケットと反対側で外リンクプレートから突出した連結ピンの外周に回動自在に遊嵌して水平移動領域のガイドレール上を走行する走行用ローラとを備え、この走行用ローラが、左右一対のエンドレスチェーンの外側でチェーン長手方向に向かって左右互い違いに配設されていることにより、コンベヤ水平部の水平移動領域で牽引用ローラが回転せず水平移動領域でガイドレール上を回転するローラ（走行用ローラ）の数が従来の構成と比べて半分となって摺動音が生じる箇所が半分となるため、水平移動領域で騒音が生じる箇所を減らすことができる。
さらに、走行用ローラの配置が平面視で一つのバケットの対角線上の位置関係となりバケットの重心の位置がこの対角線上の位置関係の２つの走行用ローラ間となるため、走行用ローラがバケットを十分に安定して支えることができる。
また、走行用ローラの数が牽引用ローラの数の半分となるため、チェーンの構造を簡単にすることができる。
さらに、ローラの役割を分けることで走行用ローラの径の大きさがスプロケットと関係なくなるため、走行用ローラの径を自由に大きく設けてその分転がり抵抗を小さくすることができる。
【００１４】
本請求項２に係る発明のバケットコンベヤによれば、請求項１に係る発明が奏する効果に加えて、牽引用ローラが、連結ピンと同じく金属で形成され、走行用ローラが、連結ピンおよび牽引用ローラと異なり樹脂で形成されていることにより、水平移動領域で回転する樹脂製の走行用ローラと金属製の連結ピンとの間の摺動が従来の金属製のローラの構成と比べてスムーズとなるため、従来の構成と比べて水平移動領域でのローラ回転に伴う摺動による騒音を著しく低減できる。
さらに、金属製の連結ピンと樹脂製の走行用ローラとの間の動摩擦係数が従来の金属製のローラの構成と比べて小さくなるため、従来の構成と比べてコンベヤ駆動用動力源の負荷を小さくすることができる。
【００１５】
本請求項３に係る発明のバケットコンベヤによれば、請求項１または請求項２に係る発明が奏する効果に加えて、走行用ローラの径が、牽引用ローラの径の２倍以上の大きさで設けられていることにより、走行用ローラの径を大きくすると走行用ローラと連結ピンとの間の摺動距離が反比例して小さくなるため、走行用ローラの摩耗を低減することができる。
さらに、走行用ローラの径を大きくするとその分走行用ローラの転がり抵抗が小さくなるため、その分コンベヤ駆動用動力源の負荷を小さくすることができる。
【図面の簡単な説明】
【００１６】
【図１】本発明の一実施例のバケットコンベヤの全体概略図。
【図２】本発明のバケットコンベヤのエンドレスチェーンおよびバケットを示す斜視図。
【図３】本発明のバケットコンベヤのエンドレスチェーンを示す一部分解斜視図。
【図４】本発明のバケットコンベヤのエンドレスチェーンおよびバケットを示す平面図。
【図５】本発明のバケットコンベヤのエンドレスチェーンおよびバケットを示す側面図および正面図。
【図６】従来技術のバケットコンベヤのエンドレスチェーンおよびバケットを示す平面図および側面図。
【発明を実施するための形態】
【００１７】
本発明は、左右一対のエンドレスチェーンに両端支持された多数のバケットで粉粒体状の搬送物を収容搬送し、エンドレスチェーンを排出口側スプロケットに周回させながら水平移動領域の上側水平搬送域から下側水平返送域へ折り返してバケットの収容底部をチェーン内周側で移送させるとともにバケットのバケット頂部をチェーン外周側で移送させてバケットの上下姿勢を反転し、反転するバケット内の搬送物をチェーン外周側へ落下搬出するバケットコンベヤにおいて、エンドレスチェーンが、バケットを少なくとも一方で支持する左右一対の内リンクプレートと、この内リンクプレートのブシュ孔にブシュ端部を圧入嵌着するブシュと、左右一対の内リンクプレートの両外側にそれぞれ配置してバケットを少なくとも一方で支持する左右一対の外リンクプレートと、ブシュに回転自在に嵌挿して外リンクプレートのピン孔に少なくとも一端側のピン端部を圧入嵌着する連結ピンと、左右一対の内リンクプレートの間にそれぞれ配設するとともにブシュの外周に回動自在に遊嵌してスプロケットと噛み合う牽引用ローラと、左右一対の外リンクプレートのバケットと反対側で外リンクプレートから突出した連結ピンの外周に回動自在に遊嵌して水平移動領域のガイドレール上を走行する走行用ローラとを備え、この走行用ローラが、左右一対のエンドレスチェーンの外側でチェーン長手方向に向かって左右互い違いに配設されていることによって、コンベヤ水平部の水平移動領域で騒音が生じる箇所を減らすとともにバケットを十分に安定して支えるものであれば、その具体的な実施態様は、如何なるものであっても構わない。
【００１８】
本発明のバケットコンベヤの具体的な使用態様については、多数のバケットで粉粒体状の搬送物を収容搬送してエンドレスチェーンを上側水平移動域から下側移動域へ折り返しながら周回させてバケットの上下姿勢を反転させる排出口側スプロケットの下方位置に設けた排出口から反転されたバケット内の搬送物を落下搬出する使用状況下であれば、如何なる搬送形態であってもよい。
【００１９】
例えば、バケットに投入された搬送物を排出口に向けて水平方向に搬送して排出口側スプロケットによりバケットの上下姿勢を反転させながら搬送物を排出口から落下排出するような、所謂、投入口と搬出口とがほぼ同じ水平な搬送ラインに配置されるもの、あるいは、バケットに投入された搬送物を排出口に向けて水平方向から垂直方向に搬送し、さらに、垂直方向から水平方向に方向転換して排出口側スプロケットによりバケットの上下姿勢を反転させながら搬送物を排出口から落下排出するような、所謂、投入口と排出口とに高低差を設けた高揚程型の搬送ラインに配置されるものなどがある。
また、走行用ローラの素材は、金属でも樹脂でもよい。
さらに、バケットを支持する構成については、左右一対の内リンクプレートの両方でバケットを支持してもよいし、一方のみで支持してもよく、同様に、左右一対の外リンクプレートの両方でバケットを支持してもよいし、一方のみで支持してもよい。
【実施例】
【００２０】
以下に、本発明の一実施例であるバケットコンベヤ１００について、図１乃至図５に基づいて説明する。
ここで、図１は、本発明の一実施例のバケットコンベヤ１００の全体概略図であり、図２は、本発明のバケットコンベヤ１００のエンドレスチェーン１２０およびバケット１３０を示す斜視図であり、図３は、本発明のバケットコンベヤのエンドレスチェーンを示す一部分解斜視図であり、図４は、本発明のバケットコンベヤ１００のエンドレスチェーン１２０およびバケット１３０を示す平面図であり、図５（Ａ）は、本発明のバケットコンベヤ１００のエンドレスチェーン１２０およびバケット１３０を示すコンベヤ送り方向に対して横から視た側面図であり、図５（Ｂ）は、図５（Ａ）に示すＸ−Ｘ’の位置で視た正面断面図である。
【００２１】
本発明の一実施例であるバケットコンベヤ１００は、図１に示すように、左右一対のエンドレスチェーン１２０、１２０に両端支持された多数のバケット１３０、１３０…で粉粒体状の搬送物Ｍを収容搬送し、エンドレスチェーン１２０を排出口側スプロケット１４１に周回させながら水平移動領域の上側水平搬送域から下側水平返送域へ折り返してバケット１３０の収容底部１３１をチェーン内周側で移送させるとともにバケット１３０のバケット頂部１３２をチェーン外周側で移送させてバケット１３０の上下姿勢を反転し、反転するバケット１３０内の搬送物Ｍをチェーン外周側へ落下搬出するように構成されている。
【００２２】
具体的には、バケットコンベヤ１００は、コンベヤケース１１０と、エンドレスチェーン１２０と、バケット１３０と、排出口側スプロケット１４１と、投入口側スプロケット１４２と、偏向スプロケット１４３と、ガイドレール１５０とを備えている。
このうち、コンベヤケース１１０の一端側の上方には、投入口１１１が配設されており、コンベヤケース１１０の他端側の下方には、排出口１１２が配設されている。
また、コンベヤ送り方向に向かって左右一対のエンドレスチェーン１２０、１２０に多数のバケット１３０、１３０…の両端が支持されており、エンドレスチェーン１２０は、駆動源となる排出口側スプロケット１４１、従動回転する投入口側スプロケット１４２および偏向スプロケット１４３に掛け回されている。
【００２３】
偏向スプロケット１４３は、エンドレスチェーン１２０を水平方向から垂直方向に方向転換させる、もしくは、垂直方向から水平方向に方向転換させるように設けられている。
ガイドレール１５０は、一例として金属製であり、コンベヤケース１１０の水平移動領域に配設されて詳しくは後述するエンドレスチェーン１２０の走行用ローラ１２６をガイドするように構成されている。
【００２４】
そして、投入口１１１からコンベヤケース１１０内に投入された粉粒体状の搬送物Ｍは、多数のバケット１３０、１３０…に順次収容されて、排出口１１２へ向けて水平方向から垂直方向に搬送され、さらに、垂直方向から水平方向へ方向転換され、排出口１１２から排出される。
この際、排出口側スプロケット１４１がエンドレスチェーン１２０を上側水平移動域から下側移動域へ折り返しながら周回させ、バケット１３０の上下姿勢が反転することにより、搬送物Ｍが排出口１１２からコンベヤケース１１０外に落下排出される。
【００２５】
続いて、エンドレスチェーン１２０およびバケット１３０について詳しく説明する。
図２乃至図５に示すように、左右一対のエンドレスチェーン１２０、１２０の間に多数のバケット１３０、１３０…が配設されている。
【００２６】
そして、一つのエンドレスチェーン１２０が、バケット１３０を少なくとも一方で支持する左右一対の内リンクプレート１２１、１２１と、この内リンクプレート１２１のブシュ孔１２１ｂにブシュ端部を圧入嵌着するブシュ１２３と、左右一対の内リンクプレート１２１、１２１の両外側にそれぞれ配置してバケット１３０を少なくとも一方で支持する左右一対の外リンクプレート１２２、１２２と、ブシュ１２３に回転自在に嵌挿して外リンクプレート１２２のピン孔１２２ｂに少なくとも一端側のピン端部を圧入嵌着する連結ピン１２４と、左右一対の内リンクプレート１２１、１２１の間にそれぞれ配設するとともにブシュ１２３の外周に回動自在に遊嵌してスプロケットと噛み合う牽引用ローラ１２５と、左右一対の外リンクプレート１２２、１２２のバケット１３０と反対側で外リンクプレート１２２から突出した連結ピン１２４（１２４ｂ）の外周に回動自在に遊嵌して水平移動領域のガイドレール１５０上を走行する走行用ローラ１２６とを備えている。
【００２７】
さらに、この走行用ローラ１２６が、左右一対のエンドレスチェーン１２０、１２０の外側でチェーン長手方向に向かって左右互い違いに配設されている。
これにより、コンベヤ水平部の水平移動領域で牽引用ローラ１２５が回転せず水平移動領域でガイドレール１５０上を回転するローラ（走行用ローラ１２６）の数が従来の構成と比べて半分となって摺動音が生じる箇所が半分となる。
さらに、走行用ローラ１２６の配置が、平面視でバケット１３０を十分に安定して支えることが可能な平面視で一つのバケット１３０の対角線上の位置関係となりバケット１３０の重心の位置がこの対角線上の位置関係の２つの走行用ローラ１２６、１２６間となる。
また、走行用ローラ１２６の数が牽引用ローラ１２５の数の半分となる。
さらに、牽引用と走行用とにローラの役割を分けることで走行用ローラ１２６の径Ｒ１の大きさがスプロケット（１４１〜１４３）と関係なくなる。
【００２８】
具体的には、図３に示すように、２つのブシュ孔１２１ｂ、１２１ｂが、内リンクプレート１２１のチェーン長手方向前後に形成され、２つのピン孔１２２ｂ、１２２ｂが、外リンクプレート１２２のチェーン長手方向前後に形成されている。
そして、ブシュ１２３のブシュ端部がブシュ孔１２１ｂに圧入嵌着され、連結ピン１２４がブシュ１２３に回転自在に挿通され、連結ピン１２４のピン端部がピン孔１２２ｂに圧入嵌着されて、内リンクプレート１２１と外リンクプレート１２２とが交互にチェーン長手方向に連結されている。
また、一対の内リンクプレート１２１、１２１のバケット１３０側および一対の外リンクプレート１２２、１２２のバケット１３０側には、それぞれバケット側端をねじ止めするための取り付け部１２１ａ、１２２ａが配設されている。
【００２９】
連結ピン１２４は、短いピン１２４ａと長いピン１２４ｂとの二種類あり、短いピン１２４ａと長いピン１２４ｂとが交互に配設されて、長いピン１２４ｂの一端は一対の外リンクプレート１２２、１２２のバケット１３０と反対側へ外リンクプレート１２２から突出している。
そして、この突出した長いピン１２４ｂの外周に走行用ローラ１２６が回転自在に取り付けられている。
なお、走行用ローラ１２６は、長いピン１２４ｂから外れないように一例としてピン留めされている。
【００３０】
一対の内リンクプレート１２１、１２１の間に配設された牽引用ローラ１２５は、図４に示すように、排出口側スプロケット１４１の歯１４１ａと接触し、駆動する排出口側スプロケット１４１の歯１４１ａから動力を受ける。
また、走行用ローラ１２６は、図４乃至図５（Ｂ）に示すように、ガイドレール１５０上を走行するように設けられている。
【００３１】
さらに、牽引用ローラ１２５が、連結ピン１２４と同じく金属で形成され、走行用ローラ１２６が、連結ピン１２４および牽引用ローラ１２５と異なり樹脂で形成されている。
これにより、水平移動領域で回転する樹脂製の走行用ローラ１２６と金属製の連結ピン１２４との間の摺動が、従来の金属製のローラの構成と比べてスムーズとなる。
さらに、金属製の連結ピン１２４と樹脂製の走行用ローラ１２６との間の動摩擦係数が、従来の金属製のローラの構成と比べて小さくなる。
【００３２】
また、走行用ローラ１２６の径Ｒ１が、牽引用ローラ１２５の径Ｒ２の２倍以上の大きさで設けられている。
これにより、走行用ローラ１２６と連結ピン１２４との間の摺動距離が、走行用ローラ１２６の径Ｒ１の大きさに反比例して小さくなる。
さらに、走行用ローラ１２６の径Ｒ１を大きくすると、その分走行用ローラ１２６の転がり抵抗が小さくなる。
【００３３】
このようにして得られた本発明の一実施例であるバケットコンベヤ１００は、一つのエンドレスチェーン１２０が、バケット１３０を少なくとも一方で支持する左右一対の内リンクプレート１２１、１２１と、この内リンクプレート１２１のブシュ孔１２１ｂにブシュ端部を圧入嵌着するブシュ１２３と、左右一対の内リンクプレート１２１、１２１の両外側にそれぞれ配置してバケット１３０を少なくとも一方で支持する左右一対の外リンクプレート１２２、１２２と、ブシュ１２３に回転自在に嵌挿して外リンクプレート１２２のピン孔１２２ｂに少なくとも一端側のピン端部を圧入嵌着する連結ピン１２４と、左右一対の内リンクプレート１２１、１２１の間にそれぞれ配設するとともにブシュ１２３の外周に回動自在に遊嵌してスプロケットと噛み合う牽引用ローラ１２５と、左右一対の外リンクプレート１２２、１２２のバケット１３０と反対側で外リンクプレート１２２から突出した連結ピン１２４（１２４ｂ）の外周に回動自在に遊嵌して水平移動領域のガイドレール１５０上を走行する走行用ローラ１２６とを備え、この走行用ローラ１２６が、左右一対のエンドレスチェーン１２０、１２０の外側でチェーン長手方向に向かって左右互い違いに配設されていることにより、水平移動領域で騒音が生じる箇所を減らすことができるとともに走行用ローラ１２６がバケット１３０を十分に安定して支えることができ、さらに、チェーンの構造を簡単にすることができ、走行用ローラ１２６の径Ｒ１を自由に大きく設けてその分転がり抵抗を小さくすることができる。
【００３４】
さらに、牽引用ローラ１２５が、連結ピン１２４と同じく金属で形成され、走行用ローラ１２６が、連結ピン１２４および牽引用ローラ１２５と異なり樹脂で形成されていることにより、従来の構成と比べて水平移動領域でのローラ回転に伴う摺動による騒音を著しく低減できるとともに、従来の構成と比べてコンベヤ駆動用動力源の負荷を小さくすることができる。
【００３５】
また、走行用ローラ１２６の径Ｒ１が、牽引用ローラ１２５の径Ｒ２の２倍以上の大きさで設けられていることにより、走行用ローラ１２６の摩耗を低減することができるとともに走行用ローラ１２６の径Ｒ１を大きくして走行用ローラ１２６の転がり抵抗が小さくなる分コンベヤ駆動用動力源の負荷を小さくすることができるなど、その効果は甚大である。
【符号の説明】
【００３６】
１００  ・・・  バケットコンベヤ
１１０  ・・・  コンベヤケース
１１１  ・・・  投入口
１１２  ・・・  排出口
１２０  ・・・  エンドレスチェーン
１２１  ・・・  内リンクプレート
１２１ａ・・・  取り付け部
１２１ｂ・・・  ブシュ孔
１２２  ・・・  外リンクプレート
１２２ａ・・・  取り付け部
１２２ｂ・・・  ピン孔
１２３  ・・・  ブシュ
１２４  ・・・  連結ピン
１２４ａ・・・  短いピン
１２４ｂ・・・  長いピン
１２５  ・・・  牽引用ローラ
１２６  ・・・  走行用ローラ
１３０  ・・・  バケット
１３１  ・・・  収容底部
１３２  ・・・  バケット頂部
１４１  ・・・  排出口側スプロケット
１４１ａ・・・  （排出口側スプロケットの）歯
１４２  ・・・  投入口側スプロケット
１４３  ・・・  偏向スプロケット
１５０  ・・・  ガイドレール
５００  ・・・  （従来技術の）バケットコンベヤ
５１０  ・・・  エンドレスチェーン
５１１  ・・・  内リンクプレート
５１２  ・・・  外リンクプレート
５１３  ・・・  ブシュ
５１４  ・・・  連結ピン
５１５  ・・・  牽引・走行用ローラ
５２０  ・・・  バケット
５３０  ・・・  ガイドレール
５４０  ・・・  駆動スプロケット
Ｍ      ・・・  搬送物
Ｒ１    ・・・  走行用ローラの径
Ｒ２    ・・・  牽引用ローラの径
【図１】
0005686764.tif 000002
【図２】
0005686764.tif 000003
【図３】
0005686764.tif 000004
【図４】
0005686764.tif 000005
【図５】
0005686764.tif 000006
【図６】
0005686764.tif 000007